(57)【特許請求の範囲】
【請求項１】
レンズ面を含む累進眼鏡レンズ素子であって、レンズ面は、
遠方視力に対応する屈折力を達成するために低い面度数を有する上方視部と、
近方視力に対応する屈折力を達成するために上方視部よりも高い面度数を有する下方視部と、
レンズ素子を横切って延び、上方視部から下方視部へと変化する面度数を有し、低い面非点収差のコリドーを含む中間部とを有し、
側頭０．５０Ｄ非点収差輪郭から鼻０．５０Ｄ非点収差輪郭までで測定される上方視部の幅は、２．００Ｄまでの加入度を有するレンズでは幾何学レンズ中心の７ｍｍ上方の垂直高さで約３４ｍｍ以上であり、約２．００Ｄを超える加入度では幾何学レンズ中心の７ｍｍ上方の垂直高さで約２５ｍｍ以上であり、
側頭１．００Ｄ非点収差輪郭から鼻１．００Ｄ非点収差輪郭までで測定される下方視部の幅は、１．５０Ｄまでの加入度を有するレンズでは幾何学レンズ中心から−９ｍｍの垂直高さで約１４ｍｍ以上であり、約１．５０Ｄを超える加入度を有するレンズでは幾何学レンズ中心から−９ｍｍの垂直高さで約１０ｍｍ以上であり、
素子は０．５０Ｄから４．００Ｄの範囲のベースカーブを示し、かつレンズ素子は約１５ｍｍ以下の短いコリドーの長さを含むことによって少年による使用のために設計されており、
前記コリドーの長さはフィッティングクロスの垂直高さから０に近い測定点の垂直高さまで延びる、累進眼鏡レンズ素子。
【請求項２】
コリドーの長さは約１０ｍｍから約１４ｍｍである、請求項１に記載の眼鏡レンズ素子。
【請求項３】
下方視部は０より大きく２．５０Ｄ以下の加入度を示す、請求項２に記載の眼鏡レンズ素子。
【請求項４】
レンズ素子は高い加入度ではわずかに増加した面非点収差を示す、請求項１に記載の眼鏡レンズ素子。
【請求項５】
近視の進行を阻止するための方法であって、この方法は、１対の累進眼鏡レンズ素子を有する眼鏡を患者に与えることを含み、各レンズ素子はレンズ面を含み、レンズ面は、
遠方視力に対応する屈折力を達成するために低い面度数を有する上方視部と、
近方視力に対応する屈折力を達成するために上方視部よりも高い面度数を有する下方視部と、
レンズ素子を横切って延び、上方視部から下方視部へと変化する面度数を有し、低い面非点収差の短いコリドーを含む中間部とを有し、
側頭０．５０Ｄ非点収差輪郭から鼻０．５０Ｄ非点収差輪郭までで測定される上方視部の幅は、２．００Ｄまでの加入度を有するレンズでは幾何学レンズ中心の７ｍｍ上方の垂直高さで約３４ｍｍ以上であり、約２．００Ｄを超える加入度では幾何学レンズ中心の７ｍｍ上方の垂直高さで約２５ｍｍ以上であり、
側頭１．００Ｄ非点収差輪郭から鼻１．００Ｄ非点収差輪郭までで測定される下方視部の幅は、１．５０Ｄまでの加入度を有するレンズでは幾何学レンズ中心から−９ｍｍの垂直高さで約１４ｍｍ以上であり、約１．５０Ｄを超える加入度を有するレンズでは幾何学レンズ中心から−９ｍｍの垂直高さで約１０ｍｍ以上であり、
素子は０．５０Ｄから４．００Ｄの範囲のベースカーブを示し、かつレンズ素子は約１５ｍｍ以下の短いコリドーの長さを含むことによって少年による使用のために設計されており、コリドーの長さは近見視力作業のために必要な加入度の着用者による使用を促進するよう選択され、
前記コリドーの長さはフィッティングクロスの垂直高さから０に近い測定点の垂直高さまで延びる、方法。
【請求項６】
近視の発症は少年の近視進行と関連する、請求項５に記載の方法。
【請求項７】
少年の近視進行率は著しく低減される、請求項６に記載の方法。
【請求項８】
一連の累進眼鏡レンズ素子であって、各レンズ素子はレンズ面を含む累進レンズ素子を含み、レンズ面は、
遠方視力に対応する屈折力を達成するために低い面度数を有する上方視部と、
近方視力に対応する屈折力を達成するために上方視部よりも高い面度数を有する下方視部と、
レンズ素子を横切って延び、上方視部から下方視部へと変化する面度数を有し、低い面非点収差の短いコリドーを含む中間部とを有し、
側頭０．５０Ｄ非点収差輪郭から鼻０．５０Ｄ非点収差輪郭までで測定される上方視部の幅は、２．００Ｄまでの加入度を有するレンズでは幾何学レンズ中心の７ｍｍ上方の垂直高さで約３４ｍｍ以上であり、約２．００Ｄを超える加入度では幾何学レンズ中心の７ｍｍ上方の垂直高さで約２５ｍｍ以上であり、
側頭１．００Ｄ非点収差輪郭から鼻１．００Ｄ非点収差輪郭までで測定される下方視部の幅は、１．５０Ｄまでの加入度を有するレンズでは幾何学レンズ中心から−９ｍｍの垂直高さで約１４ｍｍ以上であり、約１．５０Ｄを超える加入度を有するレンズでは幾何学レンズ中心から−９ｍｍの垂直高さで約１０ｍｍ以上であり、
素子は０．５０Ｄから４．００Ｄの範囲のベースカーブを示し、かつレンズ素子は約１５ｍｍ以下のコリドーの長さを示す中間部によって少年による使用のために設計されており、
前記コリドーの長さはフィッティングクロスの垂直高さから０に近い測定点の垂直高さまで延びる、一連の累進眼鏡レンズ素子。
【請求項９】
一連の累進眼鏡レンズ素子であって、各レンズ素子はレンズ面を含む累進レンズ素子を含み、レンズ面は、
遠方視力に対応する屈折力を達成するために低い面度数を有する上方視部と、
近方視力に対応する屈折力を達成するために上方視部よりも高い面度数を有する下方視部と、
レンズ素子を横切って延び、上方視部から下方視部へと変化する面度数を有し、低い面非点収差の短いコリドーを含む中間部とを有し、
素子は０．５０Ｄから４．００Ｄの範囲のベースカーブを示し、かつレンズ素子は約１５ｍｍ以下のコリドーの長さを示す中間部によって少年による使用のために設計されており、
前記コリドーの長さはフィッティングクロスの垂直高さから０に近い測定点の垂直高さまで延びる、一連の累進眼鏡レンズ素子。
【請求項１０】
各レンズ素子は約１０ｍｍから約１４ｍｍのコリドー長さを示す、請求項９に記載の一連の累進眼鏡レンズ素子。
【発明の詳細な説明】
【０００１】
この発明は累進眼鏡レンズ、特に、少年の近視進行率を低減するよう設計された累進眼鏡レンズと、このようなレンズを製造するためのプロセスとに関する。
【０００２】
近視または近眼は、平行な光線が網膜の前で焦点を結ぶ目の状態である。この状態は一般に発散レンズを利用して矯正される。多くの国々、特にアジア地域の国々では、近視の進行率が特に子供において著しく、その率は１年当り−１．２５ディオプター（Ｄ）から−２．００Ｄである。このため、近視の進んだ人の割合は非常に高くなる。したがって、多くの国々が近視の進行率を低減する適切な方法を定めるための研究プログラムに着手しているが、その成功は限られている。
【０００３】
数多くの累進レンズが先行技術において公知である。累進レンズは従来、遠用部、中間部および近用部を有するという基準に基づいて設計されてきた。中間部は、レンズの不連続部が着用者のレンズを見る人には可視でないような意味で、外観的に容認可能に近用部および遠用部に連結する。中間部の設計は、レンズの度数がそれに沿って多少一様に増大する「アイパス（eye path）」と呼ばれる線に基づく。しかしながら、ある場合では近視の着用者のために調節される（出願人の国際特許出願ＰＣＴ／ＥＰ９７／００１０５参照）累進レンズ設計はこれまでは少年の着用者にも少年の近視進行問題にも適用されてこなかった。
【０００４】
したがって、累進レンズが個々の少年の着用者の要件により密接にかかわることができればそれは当該技術において著しい進歩であろう。レンズが少年の着用者による受入れを促進するよう設計可能であれば、それはさらなる著しい進歩であろう。たとえば、コリドー（corridor）が少年の着用者に調整可能であり、かつ全体のレンズ設計が比較的小さいフレームへの嵌め込みのために最適化可能となれば、それは著しい進歩であろう。
【０００５】
したがって、この発明の目的は先行技術に関連した１つ以上の困難および欠陥を克服するか少なくとも緩和することである。この発明のこれらおよび他の目的および特徴は以下の開示から明らかとなるであろう。
【０００６】
したがって、この発明の第１の局面では、レンズ面を含む累進眼鏡レンズ素子であって、レンズ面は、
遠方視力に対応する屈折力を達成するための面を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差のコリドーを含む中間部とを有し、
近視の進行を低下させるよう選択される累進設計要素を含む、累進眼鏡レンズ素子が提供される。
【０００７】
用語「累進設計要素」とは、コリドーの長さ、上方視部の幅、および下方視部の幅を含むがそれに限定されない累進レンズ素子の面特性の組合せを意味する。
【０００８】
累進眼鏡レンズ素子は特に少年による使用のために設計され得る。したがって、累進眼鏡レンズ素子の上方視または遠用部は比較的低いプラスおよびマイナスの処方度数で用いられるよう設計され得る。０．５０Ｄから４．００Ｄの範囲のベースカーブが用いられ得る。
【０００９】
したがって、この発明の好ましい局面では、レンズ面を含む累進眼鏡レンズ素子であって、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差のコリドーを含む中間部とを有し、コリドーの長さは着用者による使用を促進するよう選択される累進眼鏡レンズ素子が提供される。
【００１０】
用語「低から中間の加入度」とは、約２．５０Ｄまでの加入度を意味する。
用語「コリドー」とは、明所視のための許容可能な収差の鼻輪郭および側頭輪郭によって境界付けされる変化する度数の中間部の領域を意味する。
【００１１】
コリドーは、フィッティングクロス（ＦＣ）の垂直高さから０に近い測定点の垂直高さまで延びる視覚固定位置（visual fixation locus）の部分の長さに対応する「コリドー長さ」（Ｌ）を有する。たとえば、この発明に従う典型的なレンズ素子では、度数の累進はフィッティングクロス（ＦＣ）の高さで始まる。
【００１２】
用語「上方視部の幅」（ＷU）とは、予め定められたｙ値、たとえばｙ＝７ｍｍでの特定の値、たとえば０．５０Ｄの鼻および側頭の等非点収差（isoastigmatism）輪郭によって境界付けられる、レンズ面上の水平寸法を意味する。
【００１３】
用語「下方視（近用）部の幅」（ＷL）とは、予め定められたｙ値、たとえばｙ＝−９ｍｍでの特定の値、たとえば１．００Ｄの鼻および側頭の等非点収差輪郭によって境界付けられる、レンズ面上の水平寸法を意味する。
【００１４】
用語「レンズ素子」とは、レンズと、レンズウェハと、特定の患者の処方にさらに仕上げられることを必要とする半仕上げのレンズブランクとを含むがそれに限定されない眼科技術において用いられるあらゆる形態の個々の屈折光学本体を意味する。累進ガラスレンズの製造において用いられる形成器と、商品名ＣＲ３９の下で販売される材料のようなポリマー材料で累進レンズを成形するための型とも含まれる。
【００１５】
用語「非点収差または面非点収差」とは、面上の点でレンズ表面に対して垂直な交差面の間でレンズ曲率が変化する度合いの測定値を意味する。
【００１６】
累進眼鏡レンズ素子の下方または上方視部は低から中間の範囲の加入度、たとえば１．２５Ｄから２．５０Ｄ、好ましくは１．５０Ｄから２．２５Ｄを示し得る。
【００１７】
中間部は比較的短いコリドー長さ、たとえば約１５ｍｍ以下、好ましくは約１４ｍｍ以下、より好ましくは約１０ｍｍから約１４ｍｍを示し得る。短いコリドー長さは下向きの凝視の量を低減し、それによって子供が近業のために必要な加入度を利用する可能性を高めることが確認されている。
【００１８】
この発明に従う累進レンズ素子は比較的広い上方視部を含み得る。側頭０．５０Ｄ非点収差輪郭から鼻０．５０Ｄ非点収差輪郭までで測定される遠用部の幅は好ましくは、２．００Ｄまでの加入度では幾何学レンズ中心の７ｍｍ上方の垂直高さで３４ｍｍ以上であるべきである。
【００１９】
好ましくは、側頭０．５０Ｄ非点収差輪郭から鼻０．５０Ｄ非点収差輪郭までで測定される上方視部の幅は、約２．００Ｄを超える加入度では幾何学レンズ中心の７．ｍｍ上方の垂直高さで約２５ｍｍ以上である。
【００２０】
遠用部境界（distance boundary）はレンズ素子の周辺に向かってわずかに高くなり得る。これは困難を生じない。なぜなら、仕上げられた少年用レンズのサイズが比較的小さいのでこの領域が実際問題として除去されるからである。この設計はレンズの下部における周辺非点収差を低減する高められた能力を与える。
【００２１】
レンズの下部における非点収差の分配はしたがって比較的ソフトであり得る。
たとえば、側頭１．００Ｄ非点収差輪郭から鼻１．００Ｄ非点収差輪郭までで測定される近用部の幅は好ましくは、約１．５０Ｄまでの加入度を有するレンズでは、幾何学レンズ中心から−９ｍｍの垂直高さで１４ｍｍ以上であるべきである。
【００２２】
好ましくは、側頭１．００Ｄ非点収差輪郭から鼻１．００Ｄ非点収差輪郭までで測定される近用部の幅は、１．５０Ｄを超える加入度を有するレンズでは、幾何学レンズ中心から−９ｍｍの垂直高さで約１０ｍｍ以上である。
【００２３】
上述のように、光学レンズ素子は面非点収差が比較的低い比較的広い上方視部をさらに含む。高い加入度では、上方視部はわずかに増大した面非点収差を示し得る。
【００２４】
この発明に従う累進眼鏡レンズ素子は一連の眼鏡レンズ素子の一部を形成し得ることが理解される。
【００２５】
したがって、この発明の好ましい局面では、一連の累進眼鏡レンズ素子であって、各レンズ素子はレンズ面を含み、レンズ面は、遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差のコリドーを含む中間部とを有し、コリドーの長さは着用者による使用を促進するよう選択される、累進眼鏡レンズ素子が提供される。
【００２６】
好ましくは、一連の累進眼鏡レンズ素子は、
１組のレンズ素子を含み、各レンズは単一のベースカーブを有し、組内の各レンズは所定の加入度において異なり、累進設計を含み、側頭０．５０Ｄ非点収差輪郭から鼻０．５０Ｄ非点収差輪郭までで測定される上方視部の幅は、約２．００Ｄまでの加入度を有するレンズでは幾何学レンズ中心の７ｍｍ上方の垂直高さで約３４ｍｍ以上であり、上方視部の周辺はより高い加入度でわずかに増大した面非点収差を示し、
側頭１．００Ｄ非点収差輪郭から鼻１．００Ｄ非点収差輪郭までで測定される下方視部の幅は、約１．５０Ｄまでの加入度では幾何学レンズ中心から−９ｍｍの垂直高さで１４ｍｍ以上であり、下方視部の幅は１．５０Ｄを超える加入度ではわずかに狭くなり、
中間部は約１５ｍｍ以下のコリドー長さを示す。
【００２７】
この発明のこの局面に従う累進レンズ素子の目的は、近視進行の治療のための手段を提供することであることが理解される。したがって、この発明のさらなる局面では、発症後の近視進行、特に少年の近視進行を阻止するための方法が提供される。
【００２８】
この方法は、１対の累進眼鏡レンズ素子を有する眼鏡を患者に与えることを含み、各レンズ素子はレンズ面を含み、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差のコリドーを含む中間部とを有し、コリドーの長さは着用者による使用を促進するよう選択される。
【００２９】
出願人は、この発明に従う方法を利用することによって、近視の進行率が著しく低下し、たとえば２分の１までになり得ると考える。
【００３０】
好ましくは、累進眼鏡レンズ素子の下方視または近用部は低から中間の範囲の加入度、たとえば１．２５Ｄから２．５０Ｄ、好ましくは１．５０Ｄから２．２５Ｄを示し得る。
【００３１】
中間部は好ましくは上述のように短いコリドー長さ、好ましくは１４ｍｍ以下を示し得る。短いコリドー長さは下向きの凝視の量を低減し、それによって子供が近業のために必要な加入度を利用する可能性を高めることが確認されている。
【００３２】
眼鏡レンズ素子はどのような適切な材料から処方されてもよい。ポリマー材料が用いられてもよい。ポリマー材料はどのような適切なタイプであってもよい。ポリマー材料は熱可塑性または熱硬化性材料を含んでもよい。ジアリルグリコールカーボネートタイプ、たとえばＣＲ−３９（PRG Industries）が用いられ得る。
【００３３】
ポリマー部品は、たとえば、その開示全体が引用によりここに援用される出願人の米国特許第４，９１２，１５５号、米国特許出願第０７／７８１，３９２号、オーストラリア特許出願第５０５８１／９３号、第５０５８２／９３号、第８１２１６／８７号、第７４１６０／９１号、および欧州特許明細書第４５３１５９Ａ２号に記載の架橋可能なポリマー成形組成から形成され得る。
【００３４】
ポリマー材料は、ポリマー材料を生成するために用いられるモノマー処方にたとえば加えられ得る染料、好ましくは光互変性染料を含んでもよい。
【００３５】
この発明に従う光学レンズ素子はさらに、エレクトロクロミックコーティングを含む、表面または裏面への標準的なさらなるコーティングを含んでもよい。
【００３６】
表レンズ面は、たとえば、その開示全体が引用によりここに援用される出願人の米国特許第５，７０４，６９２号に記載のタイプの反射防止（ＡＲ）コーティングを含んでもよい。
【００３７】
表レンズ面は、たとえば、その開示全体が引用によりここに援用される出願人の米国特許第４，９５４，５９１号に記載のタイプの耐摩耗性コーティングを含んでもよい。
【００３８】
表面および裏面はさらに成形組成において従来から使用されている１つ以上の付加物、たとえば抑制剤、たとえば上述のような熱変色染料および光互変性染料を含む染料、偏光剤、ＵＶ安定剤、ならびに屈折率を変更可能な材料を含んでもよい。
【００３９】
この発明をここで添付の図面および例を参照してより十分に説明する。しかしながら、以下の説明は例示のみであり、いかなる点でも上述の発明の概略を限定するものとは受取られるべきでないことを理解されるべきである。
【００４０】
図１から図４において、円は１０ｍｍの間隔である。
例１
この発明に従う光学レンズ素子は、３．５０Ｄのベースカーブを有し、下方視または近用部において１．５０Ｄの加入度を示すように設計された。光学レンズのための面非点収差および平均面度数のそれぞれの輪郭図を図１および図２に与える。この設計は比較的広い上方視または遠用部を与え、０．５Ｄの非点収差輪郭が周辺に向かって高くなる。この設計は、比較的広い下方視または近用部につながる比較的短いコリドー長さを示す。
【００４１】
輪郭図の円は１０ｍｍの間隔である。したがって、比較的ハードな面非点収差湾曲と平均度数の誤りとが実質的にｘが約２０ｍｍから２５ｍｍを超える場所においてのみ起ることがわかり、これはそれらが少年の患者のための縁取りを行なった後に実質的に除去される部分である。
【００４２】
例２
例１と類似した光学レンズ素子が、３．５０Ｄのベースカーブを有し、下方視または近用部において２．００Ｄの加入度を示すように設計された。光学レンズのための面非点収差および平均面度数のそれぞれの輪郭図を図３および図４に与える。この設計もまた比較的クリアで広い上方視部と短いコリドー長さとを与える。
【００４３】
この明細書において開示および規定された発明は言及されるか文書または図面から明らかな２つ以上の個々の特徴の代替的な組合せのすべてに及ぶことが理解されるであろう。これらの異なる組合せのすべてがこの発明のさまざまな代替的局面を形成する。
【００４４】
この明細書において用いられるような用語「含む（comprise）」（またはその文法的派生物）は用語「含む（include）」と等価であり、他の要素または特徴の存在を除外するものとはとられるべきでないことも理解されるであろう。
【図面の簡単な説明】
【図１】  ３．５０Ｄのベースカーブおよび１．５０Ｄの加入度を有する、この発明に従う光学レンズ素子の面非点収差の輪郭図を示す。
【図２】  図１の光学レンズ素子の平均面度数の輪郭図を示す。
【図３】  ３．５０Ｄのベースカーブおよび２．００Ｄの加入度を有する、この発明に従う光学レンズ素子の面非点収差の輪郭図を示す。
【図４】  図３の光学レンズ素子の平均面度数の輪郭図を示す。
【図１】
0004750273.tif 000002
【図２】
0004750273.tif 000003
【図３】
0004750273.tif 000004
【図４】
0004750273.tif 000005